【手続補正書】
【提出日】平成19年10月10日(2007.10.10)
【手続補正１】
【補正対象書類名】明細書
【補正対象項目名】特許請求の範囲
【補正方法】変更
【補正の内容】
【特許請求の範囲】
【請求項１】  透光性基板と、前記透光性基板の一方の面に積層して設けられた複数の有機エレクトロルミネセンス素子とを有し、定められた受光面を照らす有機発光装置において、
前記有機発光装置が照らす前記受光面に対して個々の前記有機エレクトロルミネセンス素子が一定信号入力時に与える放射照度で規定される素子照度のばらつきを補整する素子照度補整手段を有し、該素子照度補整手段は、前記有機エレクトロルミネセンス素子から発せられる光で規定される発生光に対する吸収の大きさが位置によって異なる吸収制御層を構成要素として含む前記透光性基板であること、を特徴とする有機発光装置。
【請求項２】  前記吸収制御層の前記発生光に対する吸収の大きさの位置による違いが、個々の前記有機エレクトロルミネセンス素子が一定信号入力時に生じる発光の強度の測定値に依らず、定まったパターンで与えられていることを特徴とする請求項１に記載の有機発光装置。
【請求項３】  前記吸収制御層の前記発生光に対する吸収の大きさの位置による違いが、個々の前記有機エレクトロルミネセンス素子が一定信号入力時に生じる発光の強度の測定値に応じて与えられていることを特徴とする請求項１に記載の有機発光装置。
【請求項４】  前記吸収制御層は、前記透光性基板の前記有機エレクトロルミネセンス素子が形成された面と反対側の面に、スクリーン印刷により吸収物質を位置によって濃淡をつけて印刷することで形成されていることを特徴とする請求項２に記載の有機発光装置。
【請求項５】  前記吸収制御層は、前記透光性基板の前記有機エレクトロルミネセンス素子が形成された面と反対側の面に、荒さが位置によって異なる凹凸をつけて形成されていることを特徴とする請求項２に記載の有機発光装置。
【請求項６】  前記吸収制御層は、前記吸収制御層の内部に、吸収制御部を位置によって異なる密度で分散させていることを特徴とする請求項２に記載の有機発光装置。
【請求項７】  前記吸収制御部は、不透明粉体又は金属イオン又は屈折率変化部分又は微小クラックのうちの少なくともいずれか１つであることを特徴とする請求項６に記載の有機発光装置。
【請求項８】  前記吸収制御層は、前記透光性基板の前記有機エレクトロルミネセンス素子が形成された面と反対側の面に、インクジェット装置を用いてインク滴を位置によって濃淡をつけて付着することにより形成されていることを特徴とする請求項２に記載の有機発光装置。
【請求項９】  前記吸収制御層は、前記透光性基板の前記有機エレクトロルミネセンス素子が形成された面と反対側の面に、インクジェット装置を用いてインク滴を位置によって濃淡をつけて付着することにより形成され、該濃淡は、それぞれの前記有機エレクトロルミネセンス素子に対向する位置において前記有機エレクトロルミネセンス素子の発光の強度に比例した濃さを与えていることを特徴とする請求項３に記載の有機発光装置。
【請求項１０】  透光性基板と、前記透光性基板の一方の面に積層して設けられた複数の有機エレクトロルミネセンス素子とを有する有機発光装置において、
個々の前記有機エレクトロルミネセンス素子が一定信号入力時に発する光のうち、前記透光性基板の前記有機エレクトロルミネセンス素子が形成された面と反対側の面から外部へ出射する光の強度で規定される出射光強度のばらつきを補整する光量分布均一手段を有し、該光量分布均一手段は、前記有機エレクトロルミネセンス素子から発せられる光で規定される発生光に対する吸収の大きさが位置によって異なる吸収制御層を構成要素として含む前記透光性基板であることを特徴とする有機発光装置。
【請求項１１】  前記吸収制御層の前記発生光に対する吸収の大きさの位置による違いが、個々の前記有機エレクトロルミネセンス素子が一定信号入力時に生じる発光の強度の測定値に依らず、定まったパターンで与えられていることを特徴とする請求項１０に記載の有機発光装置。
【請求項１２】  前記吸収制御層の前記発生光に対する吸収の大きさの位置による違いが、個々の前記有機エレクトロルミネセンス素子が一定信号入力時に生じる発光の強度の測定値に応じて与えられていることを特徴とする請求項１０に記載の有機発光装置。
【請求項１３】  前記吸収制御層は、前記透光性基板の前記有機エレクトロルミネセンス素子が形成された面と反対側の面に、スクリーン印刷により吸収物質を位置によって濃淡をつけて印刷することで形成されていることを特徴とする請求項１１に記載の有機発光装置。
【請求項１４】  前記吸収制御層は、前記吸収制御層の内部に、吸収制御部を位置によって異なる密度で分散させていることを特徴とする請求項１１に記載の有機発光装置。
【請求項１５】  前記吸収制御部は、不透明粉体又は金属イオン又は屈折率変化部分又は微小クラックのうちの少なくともいずれか１つであることを特徴とする請求項１４に記載の有機発光装置。
【請求項１６】  前記吸収制御層は、前記透光性基板の前記有機エレクトロルミネセンス素子が形成された面と反対側の面に、インクジェット装置を用いてインク滴を位置によって濃淡をつけて付着することにより形成されていることを特徴とする請求項１１に記載の有機発光装置。
【請求項１７】  前記吸収制御層は、前記透光性基板の前記有機エレクトロルミネセンス素子が形成された面と反対側の面に、インクジェット装置を用いてインク滴を位置によって濃淡をつけて付着することにより形成され、該濃淡は、それぞれの前記有機エレクトロルミネセンス素子に対向する位置において前記有機エレクトロルミネセンス素子の発光の強度に比例した濃さを与えていることを特徴とする請求項１２に記載の有機発光装置。
【手続補正２】
【補正対象書類名】明細書
【補正対象項目名】００３１
【補正方法】変更
【補正の内容】
【００３１】
【課題を解決するための手段】
上記課題を解決するための第一の発明は、
透光性基板と、前記透光性基板の一方の面に積層して設けられた複数の有機エレクトロルミネセンス素子とを有し、定められた受光面を照らす有機発光装置において、
前記有機発光装置が照らす前記受光面に対して個々の前記有機エレクトロルミネセンス素子が一定信号入力時に与える放射照度で規定される素子照度のばらつきを補整する素子照度補整手段を有し、該素子照度補整手段は、前記有機エレクトロルミネセンス素子から発せられる光で規定される発生光に対する吸収の大きさが位置によって異なる吸収制御層を構成要素として含む前記透光性基板であること、
を特徴とする。
【手続補正３】
【補正対象書類名】明細書
【補正対象項目名】００３２
【補正方法】削除
【補正の内容】
【手続補正４】
【補正対象書類名】明細書
【補正対象項目名】００３４
【補正方法】変更
【補正の内容】
【００３４】
第一の発明は、
前記吸収制御層の前記発生光に対する吸収の大きさの位置による違いが、個々の前記有機エレクトロルミネセンス素子が一定信号入力時に生じる発光の強度の測定値に依らず、定まったパターンで与えられていること、
を第一の好ましい態様として含むものである。
【手続補正５】
【補正対象書類名】明細書
【補正対象項目名】００３６
【補正方法】変更
【補正の内容】
【００３６】
第一の発明は、
前記吸収制御層の前記発生光に対する吸収の大きさの位置による違いが、個々の前記有機エレクトロルミネセンス素子が一定信号入力時に生じる発光の強度の測定値に応じて与えられていること、
を第二の好ましい態様として含むものである。
【手続補正６】
【補正対象書類名】明細書
【補正対象項目名】００３８
【補正方法】変更
【補正の内容】
【００３８】
第一の発明は、第一の好ましい態様において、
前記吸収制御層は、前記透光性基板の前記有機エレクトロルミネセンス素子が形成された面と反対側の面に、スクリーン印刷により吸収物質を位置によって濃淡をつけて印刷することで形成されていること、
を好ましい態様として含むものである。
【手続補正７】
【補正対象書類名】明細書
【補正対象項目名】００４１
【補正方法】変更
【補正の内容】
【００４１】
第一の発明は、第一の好ましい態様において、
前記吸収制御層は、前記透光性基板の前記有機エレクトロルミネセンス素子が形成された面と反対側の面に、荒さが位置によって異なる凹凸をつけて形成されていること、
を好ましい態様として含むものである。
【手続補正８】
【補正対象書類名】明細書
【補正対象項目名】００４３
【補正方法】変更
【補正の内容】
【００４３】
第一の発明は、第一の好ましい態様において、
前記吸収制御層は、前記吸収制御層の内部に、前記吸収制御部を位置によって異なる密度で分散させていること、
を好ましい態様として含むものであり、
前記吸収制御部は、不透明粉体又は金属イオン又は屈折率変化部分又は微小クラックのうちの少なくともいずれか１つであること、
をより好ましい態様として含むものである。
【手続補正９】
【補正対象書類名】明細書
【補正対象項目名】００４７
【補正方法】変更
【補正の内容】
【００４７】
第一の発明は、第一の好ましい態様において、
前記吸収制御層は、前記透光性基板の前記有機エレクトロルミネセンス素子が形成された面と反対側の面に、インクジェット装置を用いてインク滴を位置によって濃淡をつけて付着することにより形成されていること、
を好ましい態様として含むものである。
【手続補正１０】
【補正対象書類名】明細書
【補正対象項目名】００４９
【補正方法】変更
【補正の内容】
【００４９】
第一の発明は、第二の好ましい態様において、
前記吸収制御層は、前記透光性基板の前記有機エレクトロルミネセンス素子が形成された面と反対側の面に、インクジェット装置を用いてインク滴を位置によって濃淡をつけて付着することにより形成され、該濃淡は、それぞれの前記有機エレクトロルミネセンス素子に対向する位置において前記有機エレクトロルミネセンス素子の発光の強度に比例した濃さを与えていること、
を好ましい態様として含むものである。
【手続補正１１】
【補正対象書類名】明細書
【補正対象項目名】００５１
【補正方法】変更
【補正の内容】
【００５１】
上記課題を解決するための第二の発明は、
透光性基板と、前記透光性基板の一方の面に積層して設けられた複数の有機エレクトロルミネセンス素子とを有する有機発光装置において、
個々の前記有機エレクトロルミネセンス素子が一定信号入力時に発する光のうち、前記透光性基板の前記有機エレクトロルミネセンス素子が形成された面と反対側の面から外部へ出射する光の強度で規定される出射光強度のばらつきを補整する光量分布均一手段を有し、該光量分布均一手段は、前記有機エレクトロルミネセンス素子から発せられる光で規定される発生光に対する吸収の大きさが位置によって異なる吸収制御層を構成要素として含む前記透光性基板であることを特徴とする。
【手続補正１２】
【補正対象書類名】明細書
【補正対象項目名】００５２
【補正方法】削除
【補正の内容】
【手続補正１３】
【補正対象書類名】明細書
【補正対象項目名】００５４
【補正方法】変更
【補正の内容】
【００５４】
第二の発明は、
前記吸収制御層の前記発生光に対する吸収の大きさの位置による違いが、個々の前記有機エレクトロルミネセンス素子が一定信号入力時に生じる発光の強度の測定値に依らず、定まったパターンで与えられていること、
を第一の好ましい態様として含むものである。
【手続補正１４】
【補正対象書類名】明細書
【補正対象項目名】００５６
【補正方法】変更
【補正の内容】
【００５６】
第二の発明は、
前記吸収制御層の前記発生光に対する吸収の大きさの位置による違いが、個々の前記有機エレクトロルミネセンス素子が一定信号入力時に生じる発光の強度の測定値に応じて与えられていること、
を第二の好ましい態様として含むものである。
【手続補正１５】
【補正対象書類名】明細書
【補正対象項目名】００５８
【補正方法】変更
【補正の内容】
【００５８】
第二の発明は、第一の好ましい態様において、
前記吸収制御層は、前記透光性基板の前記有機エレクトロルミネセンス素子が形成された面と反対側の面に、スクリーン印刷により吸収物質を位置によって濃淡をつけて印刷することで形成されていること、
を好ましい態様として含むものである。
【手続補正１６】
【補正対象書類名】明細書
【補正対象項目名】００６０
【補正方法】変更
【補正の内容】
【００６０】
第二の発明は、第一の好ましい態様において、
前記吸収制御層は、前記吸収制御層の内部に、吸収制御部を位置によって異なる密度で分散させていること、
を好ましい態様として含むものであり、
前記吸収制御部は、不透明粉体又は金属イオン又は屈折率変化部分又は微小クラックのうちの少なくともいずれか１つであること、
をより好ましい態様として含むものである。
【手続補正１７】
【補正対象書類名】明細書
【補正対象項目名】００６２
【補正方法】変更
【補正の内容】
【００６２】
第二の発明は、第一の好ましい態様において、
前記吸収制御層は、前記透光性基板の前記有機エレクトロルミネセンス素子が形成された面と反対側の面に、インクジェット装置を用いてインク滴を位置によって濃淡をつけて付着することにより形成されていること、
を好ましい態様として含むものである。
【手続補正１８】
【補正対象書類名】明細書
【補正対象項目名】００６４
【補正方法】変更
【補正の内容】
【００６４】
第二の発明は、第二の好ましい態様において、
前記吸収制御層は、前記透光性基板の前記有機エレクトロルミネセンス素子が形成された面と反対側の面に、インクジェット装置を用いてインク滴を位置によって濃淡をつけて付着することにより形成され、該濃淡は、それぞれの前記有機エレクトロルミネセンス素子に対向する位置において前記有機エレクトロルミネセンス素子の発光の強度に比例した濃さを与えていること、
を好ましい態様として含むものである。